(57)【要約】      （修正有）【課題】容易に活性水素の効果を感じることができる活性水素発生器の電源側器具を提供する。【解決手段】活性水素発生器の電源側に、２本の電線を有し、一端をプラグ１０に、他端をソケット１７に接続する。２本の電線のいずれか１本にダイオード１を直列につなぎ、２本の電線にコンデンサー５を接続する。【選択図】図３
0003170551.tif 000002
【実用新案登録請求の範囲】
【請求項１】
活性水素発生器の１つで、電気回路中に通気孔のある箱に入った電球、セラミックヒーター、アルミナヒーター、カーボン抵抗器、電磁石、モーターのうちの１つの電気器具に、プラグを通して電気を通じる通電回路を持っていて、この通電回路に、２本の電線を並列に接続し、この２本の線は直流整流高圧発生箱の端に入り、この箱の中で、直流整流高圧になった電流は、この箱の他の端より外部に出て、マイナス極、プラス極に到り、プラス極より放電して、マイナスイオンを発生するのであるが、この電源側に、２本の電線を有し、１端をプラグに、他端をソケットに接続し、前記２本の電線のいづれか１本に、ダイオードを直列に、且ダイオードのプラス極、マイナス極に配慮せず接続し、コンデンサーを、２本の線に並列に接続し、この電源側の器具に、前記のマイナスイオン発生器のプラグに通電して、プラス極より放電して、活性水素を発生する活性水素発生装置の内の、２本の電線、ダイオード、コンデンサー、プラグ、ソケットより成る活性水素発生器の電源側器具。
【考案の詳細な説明】
【技術分野】
【０００１】
この発明は健康を増進する器具に関する。
【背景技術】
【０００２】
【特許文献１】登録実用新案第３０８３９３８
【特許文献２】特開２００２−４２５４５号
【特許文献３】特願２００２−２８８５５０号
【特許文献４】登録実用新案第３１６８９１１号
【考案の概要】
【考案が解決しようとする課題】
【０００３】
近年、ストレスの緩和、精神的安定、空気中のゴミの除去作用があるとしてマイナスイオンが着目されているが、五感に容易にその効果が分かる器具はない。マイナスイオンと
は酸素イオンの事で、オゾンO3である。体中では、活性酸素が悪事をするので、活性酸素
を中和して、無害にする為、色々努力するのであるが、O3も活性酸素なので、マイナスイオンと同じ仲間で、O3は活性酸素に無力で、体にいい感じを与えないので、活性酸味を中
和する活性水素を求めている。
【０００４】
本発明は、五感に容易に活性水素の存在を確かめられる為の工夫の開発である。
【０００５】
活性水素発生器とは、電気を消費する電気器具を働かす電気回路に、ダイオードを直列に接続し、コンデンサーを並列に入れた通電回路に、並列に２本の電線を接続し、この
２本の電線を通る電流は、直流整流高圧発生箱の端に入り、この箱の中で、箱の他の端から出ている電線に感応させて、感応した線の端は２つの電極、マイナス電極とプラス電極に至り、プラス電極より放電して、活性水素を発生するものである。
【考案の効果】
【０００６】
通電１分後に、活性水素開放口に、３０ｃｍ近づけて、呼吸をするのに２〜３回の呼吸
で、大きな息を自然にし、又肺の奥に、呼気が届いている様に感ずる。
【０００７】
血行不良による頭痛が治る。
【０００８】
腎臓の新陳代謝が大きくなり、体がおだやかになる事、直ぐに分かり、クレアニチンの
基準値内の数値が、容易に最良値になり、１５％低いクレアニチンが正常になり、アガリクス茸を食べると、この活性が高まる。
【０００９】
通じが良くなり、昼夜の摂取により１日に数回も、下痢する事なく通じがある様になり
その時には、吸引を控えたらよい。痔の人に喜ばれる。
【００１０】
重度の不眠が、改善される。
【００１１】
目に病気がないのに目に力が無くてテレビを見られないのは、このイオンで回復する。
【００１２】
一晩の吸引で、効果は２４時間は持続するのが自覚できる（置き場所１ｍ以内、６畳）。
【００１３】
活性水素の気流中では、簡易型設置型電話機のベルが十数日で鳴らなくなる事でこの
イオンの存在が分かり、気流外に置くと、能力は半日で回復する。２２，５，７判明。
【００１４】
歩いて登山し、遠い景色を眺めた時の同じ快感が数時間続く。
【００１５】
頭頂部の無毛部には、ショウガとオリーブオイルの混合物をすり込むと、１週間で、毛
が生えるのが分かり、１ヶ月で房々する。
【００１６】
この活性水素の気流中、大きな呼吸をした時片方の肺に異常を感ずる場合、簡単に治る。
【００１７】
顔の黒子の色が消えた。
【００１８】
手相の生命線に、副生命線がある人は、数か月でこれが延びる。
【００１９】
鼻の通りが、良くなる。
【００２０】
活性水素と活性酸素の違いは、夏等、疲労している時、イオン放射孔の近くで、深呼吸をする時、活性水素では、気持ちよく大きな呼吸をするが、活性酸素では、小さな呼吸しかできない。
【００２１】
喘息によい。
【００２２】
気流中のイオンが、活性水素であるか、活性酸素であるかの判断は、赤外線に反応して点灯するLED電球、２０ｗ電球、ダイオード、コンデンサー、プラグから成る、電気回路の内、LED電球を、低温で、低湿度の夫々の気流中で、点灯し、之が消灯する迄の時間の長さの違いにより、活性水素は、１２５秒、活性酸素は１０２秒なるを以て、両者を識別できる。
（表１）
温度14℃湿度30％、活性水素、活性酸素気流中の赤外線反応LED電球の点灯時間
┌────┬────┬────┬────┬────┬────┬────┐
│        │   １  │   ２  │   ３  │   ４  │   ５  │ 平  均│    
├────┼────┼────┼────┼────┼────┼────┤
│活性水素│１２０秒│１２６秒│１２４秒│１２５秒│１２１秒│１２５秒│    
├────┼────┼────┼────┼────┼────┼────┤
│活性酸素│１０２秒│１０５秒│１０２秒│１０３秒│１０１秒│１０２秒│    
└────┴────┴────┴────┴────┴────┴────┘
【考案を実施するための形態】
【００２３】
図面を参照しながら説明する。図１は活性水素発生器を、上から見た図で、図２は横から見た図であり、図２は配線は図示していない。１はダイオード（１０E1）、２は５ｗ
電球、３はタイマー、４は直流整流高圧発生箱、５はコンデンサー、６は通電キー、７は
通電切断キー、８は本体箱、９は通気孔、１０はプラグ、１１は放射孔、１２・１３はタイマーの
接点である。プラグを１００ｖ電源に差し込んで、６の通電キーを押すとプラグの先端部
２１より入った電流は、電球２を通り、プラグ１０の先端２０を通って、器外に出る。この電球に、通電する通電回路に、直流整流高圧発生箱に連絡する線２２，２３を並列に接続し、この箱の中で感応した電流は、この箱の他端より外部に出て、２本の線の１本はマイナス極に到り、他の１本はプラス極に到って放電し、活性酸素を発生する。一方、２本の電線を有し、その１本にダイオードを直列に、且そのダイオードのプラス極、マイナス極に配慮せずに接続し、コンデンサーを並列に接続し、この２本の線の両端を、プラグとソケットに接続し、この器具に前記の活性酸素発生器を、接続して、プラス極より活性水素を発生させた。
【図面の簡単な説明】
【００２４】
【図１】活性酸素発生器を上から見た図である。
【図２】活性酸素発生器を横から見た図である。
【図３】活性水素発生器用電源側器具の回路図である。
【図４】活性酸素発生器の回路図である。
【図５】明細書  段落番号００２２の試験器の回路図である。
【符号の説明】
【００２５】
１  ダイオード
２  電  球
３  タイマー
４  直流整流高圧発生箱
５  コンデンサー
６  通電キー
７  通電切断キー
８  本体箱
９  通気孔
１０  プラグ
１１  放射孔
１２  タイマー接点
１３  タイマー接点
１４  マイナス電極
１５  プラス電極
１６  電気器具
１７  ソケット
１８  直流整流高圧発生箱の入り口
１９      〃
２０  電源プラグの先端の１つ
２１      〃
２２  通電回路と、直流整流高圧発生箱との連絡線
２３      〃
２４  赤外線反応LED６０ｗ球
２５  ２０ｗ電球
【図１】
0003170551.tif 000003
【図２】
0003170551.tif 000004
【図３】
0003170551.tif 000005
【図４】
0003170551.tif 000006
【図５】
0003170551.tif 000007